(57)【要約】  【課題】  複数のセルと前記複数のセルのいずれかに表示されるカーソルとを含む画面を表示する電子カルテ装置において、カルテイメージを損なうことなく、入力可又は不可のセルをユーザに伝える。  【解決手段】  複数のセルと前記複数のセルのいずれかに表示されるカーソルとを含む画面を表示する電子カルテ装置であって、前記セルへの入力可又は不可を表す識別情報が設定される記憶手段と、前記カーソルを前記複数のセルのいずれかに移動させるカーソル操作手段と、前記識別情報に基づいて、前記カーソルが位置するセルに入力可を表す識別情報が設定されているか入力不可を表す識別情報が設定されているかを判定する手段と、入力可を表す識別情報が設定されているセルと入力不可を表す識別情報が設定されているセルとでは、前記カーソルを異なる態様で表示するカーソル表示手段と、を備える。【選択図】図２
2007034852.tif 000002
【特許請求の範囲】
【請求項１】
複数のセルと前記複数のセルのいずれかに表示されるカーソルとを含む画面を表示する電子カルテ装置であって、
前記セルへの入力可又は不可を表す識別情報が設定される記憶手段と、
前記カーソルを前記複数のセルのいずれかに移動させるカーソル操作手段と、
前記識別情報に基づいて、前記カーソルが位置するセルに入力可を表す識別情報が設定されているか入力不可を表す識別情報が設定されているかを判定する手段と、
入力可を表す識別情報が設定されているセルと入力不可を表す識別情報が設定されているセルとでは、前記カーソルを異なる態様で表示するカーソル表示手段と、
を備えることを特徴とする電子カルテ装置。
【請求項２】
入力可を表す識別情報が設定されているセルへの入力を許容する入力手段をさらに備えることを特徴とする請求項１または２に記載の電子カルテ装置。
【請求項３】
特定のセルに予め定められた文字又は文字列が入力された場合、その文字又は文字列が入力されたセルを基準として相対的に定まるセルへの入力不可を表す識別情報が設定されることを特徴とする請求項２に記載の電子カルテ表示装置。
【請求項４】
前記異なる態様は、異なる色、サイズ、又は、形状のうちの少なくとも一つであることを特徴とする請求項１から３のいずれかに記載の電子カルテ表示装置。  
【請求項５】
コンピューターを、
複数のセルと前記複数のセルのいずれかに表示されるカーソルとを含む画面を表示する電子カルテ装置であって、
前記セルへの入力可又は不可を表す識別情報が設定される記憶手段、
前記カーソルを前記複数のセルのいずれかに移動させるカーソル操作手段、
前記識別情報に基づいて、前記カーソルが位置するセルに入力可を表す識別情報が設定されているか不可を表す識別情報が設定されているかを判定する手段、
入力可を表す識別情報が設定されているセルと入力不可を表す識別情報が設定されているセルとでは、前記カーソルを異なる態様で表示するカーソル表示手段、
として機能させるための電子カルテプログラム。
【請求項６】
複数のセルと前記複数のセルのいずれかに表示されるカーソルとを含む画面を表示する手段と、前記カーソルを前記複数のセルのいずれかに移動させるカーソル操作手段と、前記セルへの入力可又は不可を表す識別情報が設定される記憶手段と、を備える電子カルテ装置において、前記識別情報に基づいて、前記カーソルが位置するセルに入力可を表す識別情報が設定されているセルか入力不可を表す識別情報が設定されているかを判定し、入力可を表す識別情報が設定されているセルと入力不可を表す識別情報が設定されているセルとでは、前記カーソルを異なる態様で表示することを特徴とする電子カルテ装置における入力可又は不可セル報知方法。
【発明の詳細な説明】
【技術分野】
【０００１】
本発明は、電子カルテ装置、特に、複数のセルと前記複数のセルのいずれかに表示されるカーソルとを含む画面を表示する電子カルテ装置に関する。
【背景技術】
【０００２】
従来、複数のセルと前記複数のセルのいずれかに表示されるカーソルとを含む画面（例えばエクセル等の表形式のフォーマット）においては、入力可のセルと不可のセルを利用者に識別させることを目的として、入力可のセル色と不可のセル色を異ならせておく（カーソルの位置に関係なく予め異ならせておく）、あるいは、入力可のセルにはカーソルを移動させるが不可のセルにはカーソルを移動させない、などの方法がとられていた。なお、本発明に関連があると思われるものとして次のものがある（特許文献１参照）。
【特許文献１】特開２００１−４３２８４号公報
【発明の開示】
【発明が解決しようとする課題】
【０００３】
しかしながら、複数のセルと前記複数のセルのいずれかに表示されるカーソルとを含む画面を表示する電子カルテ装置に、上記従来技術を適用すると次の問題を生ずる。
【０００４】
すなわち、前者の方法では、例えば入力可のセル色を白色で表し、入力不可のセル色を灰色等で表すことになる。このようにセル色を異ならせるとすれば、白色が主体であるカルテ（カルテ２号用紙イメージ）に灰色等の白色以外の色部分が点在することになり、カルテ本来のイメージを損ねることになる。このことは、紙カルテから電子カルテへ移行する電子カルテ利用者（医師等）に違和感を与えるであろうし、見づらいものと思われる。
【０００５】
また、後者の方法では、入力不可のセルにはカーソルが移動しないから、カーソルが思うように動作せずにストレスを感じる電子カルテ利用者も少なくないと思われる。
【０００６】
本発明の課題は、複数のセルと前記複数のセルのいずれかに表示されるカーソルとを含む画面を表示する電子カルテ装置において、カルテイメージを損なうことなく、入力可又は不可のセルをユーザに伝えることのできる技術を提供することにある。
【課題を解決するための手段】
【０００７】
本発明は、上記課題を解決するためになされたものであり、次の構成をとる。
【０００８】
複数のセルと前記複数のセルのいずれかに表示されるカーソルとを含む画面を表示する電子カルテ装置であって、前記セルごとにそのセルへの入力可又は不可を表す識別情報が設定される記憶手段と、前記カーソルを前記複数のセルのいずれかに移動させるカーソル操作手段と、前記識別情報に基づいて、前記カーソルが位置するセルに入力可を表す識別情報が設定されているか入力不可を表す識別情報が設定されているかを判定する手段と、入力可を表す識別情報が設定されているセルと入力不可を表す識別情報が設定されているセルとでは、前記カーソルを異なる態様で表示するカーソル表示手段と、を備えることを特徴とする電子カルテ装置。
【０００９】
本発明によれば、入力可を表す情報が設定されているセルと入力不可を表す情報が設定されているセルとでは、前記カーソルを異なる態様で表示するから、カーソルの表示態様を一瞥するだけで、該当セル（そのカーソルが表示されているセル）が入力可であるか不可であるかを判別できる。
【００１０】
あるセルが入力可又は不可のいずれであるかをユーザに伝えるために、従来のように、入力可のセル色と不可のセル色を異ならせておく必要はない。従って、カルテイメージを損なうこともない。
【００１１】
また、入力可であるか不可であるかにかかわらずカーソルはすべてのセルを制限なく自由に移動可能であるから、従来のように、カーソルが思うように動作せずにストレスを感じることもなくなる。このことは、ストレスが比較的大きな環境下で作業を行う医療関係者（医師等）にとって大きなメリットといえる。
【００１２】
また、カーソルの表示態様によってセルへの入力可又は不可を報知するようにしているから、カーソルに注目することで、つまり視点移動することなく入力可セルであるか不可セルであるかを確認できる。
【００１３】
上記電子カルテ装置においては、例えば、入力可を表す識別情報が設定されているセルへの入力を許容する入力手段をさらに備える。
【００１４】
このようにすれば、入力可が設定されているセルへの入力が可能となる。
【００１５】
また、上記電子カルテ装置においては、例えば、特定のセルに予め定められた文字又は文字列が入力された場合、その文字又は文字列が入力されたセルを基準として相対的に定まるセルへの入力不可を表す識別情報が設定される。
【００１６】
このようにすれば、特定のセル（例えば薬品名を入力すべきセル）に予め定められた文字（例えば￥）が入力された場合、そのセルと同じ行の他のセルへの入力を禁止することが可能となる。つまり、あるセルの入力値により、別のセルの設定を入力可能、不可能に動的に変更することが可能となる。これにより、カルテ記載の統一化等を図ることが可能となる。
【００１７】
また、上記電子カルテ装置においては、例えば、前記異なる態様は、異なる色、サイズ、又は、形状のうちの少なくとも一つである。
【００１８】
これは、前記異なる態様の一例を示したものである。本発明はこれに限定されない。要は、入力可を表す情報が設定されているセルと入力不可を表す情報が設定されているセルとを識別できるように、カーソルが（その位置するセルの設定に基づいて）表示されていればよいのである。
【００１９】
また、本発明は、プログラムの発明として次のように特定できる。
【００２０】
コンピューターを、複数のセルと前記複数のセルのいずれかに表示されるカーソルとを含む画面を表示する電子カルテ装置であって、前記セルごとにそのセルへの入力可又は不可を表す識別情報が設定される記憶手段、前記カーソルを前記複数のセルのいずれかに移動させるカーソル操作手段、前記識別情報に基づいて、前記カーソルが位置するセルに入力可を表す識別情報が設定されているか不可を表す識別情報が設定されているかを判定する手段、入力可を表す識別情報が設定されているセルと入力不可を表す識別情報が設定されているセルとでは、前記カーソルを異なる態様で表示するカーソル表示手段、として機能させるための電子カルテプログラム。
【００２１】
また、本発明は、上記プログラムを記録したコンピュータ読み取り可能な記録媒体としても特定できる。
【００２２】
また、本発明は、方法の発明として次のように特定できる。
【００２３】
複数のセルと前記複数のセルのいずれかに表示されるカーソルとを含む画面を表示する手段と、前記カーソルを前記複数のセルのいずれかに移動させるカーソル操作手段と、前記セルごとにそのセルへの入力可又は不可を表す識別情報が設定される記憶手段と、を備える電子カルテ装置において、前記識別情報に基づいて、前記カーソルが位置するセルに入力可を表す識別情報が設定されているセルか入力不可を表す識別情報が設定されているかを判定し、入力可を表す識別情報が設定されているセルと入力不可を表す識別情報が設定されているセルとでは、前記カーソルを異なる態様で表示することを特徴とする電子カルテ装置における入力可又は不可セル報知方法。
【発明の効果】
【００２４】
本発明によれば、入力可を表す識別情報が設定されているセルと入力不可を表す識別情報が設定されているセルとでは、前記カーソルを異なる態様で表示するから、カーソルの表示態様を一瞥するだけで、該当セル（そのカーソルが表示されているセル）が入力可であるか不可であるかを判別できる。あるセルが入力可又は不可のいずれであるかをユーザに伝えるために、従来のように、入力可のセル色と不可のセル色を異ならせておく必要はない。従って、カルテイメージを損なうこともない。
【００２５】
また、本発明によれば、入力可であるか不可であるかにかかわらずカーソルはすべてのセルを制限なく自由に移動可能であるから、従来のように、カーソルが思うように動作せずにストレスを感じることもなくなる。
【００２６】
また、本発明によれば、カーソルの表示態様によってセルへの入力可又は不可を報知するようにしているから、カーソルに注目することで、つまり視点移動することなく入力可セルであるか不可セルであるかを確認できる。
【発明を実施するための最良の形態】
【００２７】
図１に示されるように、本実施形態の電子カルテ装置１は、一般的なコンピュータシステムによって構成される。電子カルテ装置１は、電子カルテ装置１全体の動作を司るＣＰＵ等の制御装置を含むコンピュータ本体１０、コンピュータ本体１０に接続される、ＣＲＴや液晶ディスプレイ等の画像表示装置２０、カーソル操作手段としてのマウスや又はキーボード等の入力手段３０、及びハードディスク装置やＲＡＭ等の記憶手段４０等を備えている。
【００２８】
コンピュータ本体１０は、入力手段３０等を介して電子カルテプログラムの起動が指示されると、一般的なアプリケーションと同様に、記憶手段４０から電子カルテプログラム等を内部メモリ等に読み出してこれを実行する。コンピュータ本体１０は、電子カルテプログラムの処理状況に応じて、図２や図３等に示されるように、複数のセル（以下セル領域２１ともいう）と複数のセルのいずれかに表示されるカーソルＫとを含む画面（以下カルテ画面ともいう）２１を、画像表示装置２０に表示する。
【００２９】
コンピュータ本体１０は、入力手段３０からの入力に応じて、カーソルＫを複数のセルのいずれかに移動させる。すなわち、コンピュータ本体１０は、入力手段３０を介してカーソルＫの移動（上下左右いずれかの方向）が指示されると、カーソルＫが、当初位置するセルからこれに隣接するセルに移動（上下左右いずれかの方向）して見えるように表示する。
【００３０】
記憶手段４０には、オペレーティングシステムやこのオペレーティングシステム上で実行される電子カルテプログラムの他に、図１に示されるように、セルへの入力可又は不可を表す識別情報が設定されるテーブル４１等もインストールされている。このテーブル４１は、オーダー、明細、名称、補足１、補足２、数量、単位、備考の項目を備えている。これらの項目は、図２等に示されるように、セル領域２１の各セルに対応している。
【００３１】
名称、補足１、補足２、数量、単位、備考の各項目には、識別情報１又は０が設定される。識別情報１はセルへの入力可を表し、識別情報０は、セルへの入力不可を表す。明細の項目には、Ａ（例えば図２に示される「名称」のセルに入力される「￥」等の制御文字以外の通常文字）、Ｂ（例えば図２に示される「名称」のセルに入力される「￥」等の制御文字）が設定される。
【００３２】
次に、本実施形態の電子カルテ装置１の動作について図面を参照しながら説明する。コンピュータ本体１０は、電子カルテプログラムが実行され、入力手段３０から所定操作が行われることによって、図５に示される処理を開始する。
【００３３】
まず、テーブル４１が設定されていなければ、例えばテーブル４１を表示する等して、このテーブル４１を設定するよう促す（ステップＳ１０）。なお、テーブル４１がすでに設定されているのであれば、この処理をスキップしてもよい。
【００３４】
次に、テーブル４１を参照する（ステップＳ２０）。すなわち、テーブル４１を参照することにより、カーソルＫが位置するセル（システムが保持するカーソルＫの表示位置等により定まるセル）に入力可を表す識別情報が設定されているか入力不可を表す識別情報が設定されているかを判定する（ステップＳ３０）。
【００３５】
なお、テーブル４１の参照負担を軽減する等の観点より、例えば、図２に示される画面においてＦ１内服、Ｆ２頓服、Ｆ３外用、Ｆ４注射、Ｆ６処置、Ｆ７手術、Ｆ８検査、Ｆ９画像のいずれかのキーを入力させるようにし、いずれかのキーが入力された場合には（例えばＦ１内服キーが入力された場合）、図１に示されるテーブル４１の該当するレコード（例えば内服に対応するレコード）のみを参照するようにするのが好ましい。
【００３６】
ここでは、図２に示されるカルテ画面においてＦ１内服キーが入力されたものとする。Ｆ１内服キーが入力されると、「オーダー」セルに、内服に関する入力であることを表す表示（ここでは、Ｒｐ．１（内））が表示される。他のキーが入力されたときも、同様の表示が表示される。
【００３７】
図２に示されるカルテ画面においては、セル領域２１の「名称」セルに未入力であるため、図１に示されるテーブル４１の内服に対応する２つのレコードのうち、上の方のレコードが参照される。このレコードを参照すると、名称、数量の項目に１が設定されており、これらの項目に対応するセル（「名称」セル、数量「セル」）にのみ、入力可となっている。
【００３８】
一方、図３に示されるカルテ画面においては、セル領域２１の第３行目の「名称」セルに「分１、就寝前服用」が表示されている。これは、同セルへ入力の際、制御文字「￥」分１、就寝前服用のように入力されたものである。このように制御文字（又は制御文字列）とともに入力された場合には、テーブル４１の内服に対応する２つのレコードのうち、下の方のレコードが参照される。このレコードを参照すると、名称、数量、備考の項目に１が設定されており、これらの項目に対応するセル（「名称」セル、数量「セル」、備考「セル」）にのみ、入力可となっている。なお、所定操作を行うことで、セル行を増やすことが可能となっている。図３は３行に増やした例である。
【００３９】
このように、セル領域２１の「名称」セル（本発明の特定のセルに相当）に予め定められた文字（例えば￥）が入力された場合、そのセルと同じ行の他のセルへの入力を禁止することが可能となる。つまり、セル領域２１の「名称」セルの入力値により、別のセル（ここでは備考「セル」）の設定を入力可能、不可能に動的に変更することが可能となる。これにより、カルテ記載の統一化等を図ることが可能となる。
【００４０】
ステップＳ３０での判定の結果、カーソルＫが位置するセル（システムが保持するカーソルＫの表示位置等により定まるセル）に入力可を表す識別情報が設定されている（すなわち入力可能である）と判定された場合には（ステップＳ３０：入力可）、図２又は図３に示されるように、入力可を表す形態で（例えばブルー）でカーソルを表示する（ステップＳ４０）。これとともに、カルテ画面の下方に「名称を入力して下さい。」のように、カーソルＫが位置するセルの入力可不可に関する情報が表示される。
【００４１】
一方、カーソルＫが位置するセルに入力不可を表す識別情報が設定されている（すなわち入力不可である）と判定された場合には（ステップＳ４０：入力不可）、図４に示されるように、入力不可を表す形態（例えばピンク）でカーソルを表示する（ステップＳ５０）。これとともに、カルテ画面の下方に「このセルには入力できません。」のように、カーソルＫが位置するセルの入力可不可に関する情報が表示される。
【００４２】
以上説明したように、本実施形態の電子カルテ装置１によれば、入力可を表す情報が設定されているセルと入力不可を表す情報が設定されているセルとでは、カーソルＫを異なる態様で表示する（例えばブルー又はピンク）から、カーソルＫの表示態様を一瞥するだけで、該当セル（そのカーソルＫが表示されているセル）が入力可であるか不可であるかを判別できる。
【００４３】
あるセルが入力可又は不可のいずれであるかをユーザに伝えるために、従来のように、入力可のセル色と不可のセル色を異ならせておく必要はない。従って、カルテイメージを損なうこともない。また、入力可であるか不可であるかにかかわらずカーソルはすべてのセルを制限なく自由に移動可能であるから、従来のように、カーソルが思うように動作せずにストレスを感じることもなくなる。このことは、ストレスが比較的大きな環境下で作業を行う医療関係者（医師等）にとって大きなメリットといえる。
【００４４】
なお、入力手段３０を介してカーソルＫの移動（上下左右いずれかの方向）が指示されると、再度ステップＳ２０以降の処理が実行される（ステップＳ６０：Ｙｅｓ）。カーソルＫの移動の指示がなければ、このルーチンを抜け（ステップＳ６０：Ｎｏ）、再度カーソルＫの移動の指示があれば、ステップＳ２０以降の処理が実行される。
【００４５】
次に、上記実施形態の電子カルテ装置１の変形例について説明する。
【００４６】
上記実施形態の電子カルテ装置１においては、図２に示されるように、当初は一行のセル行を表示しておき、所定操作を行うことで、セル行を増やすように説明したが、本発明はこれに限定されない。例えば、図６に示されるように、セル領域２１の一部領域又は全領域に予め複数のセル行を表示するようにしてもよい。
【００４７】
また、上記実施形態の電子カルテ装置１においては、図２等に示されるように、各セルを仕切る罫線が実線で描画されている例について説明したが、本発明はこれに限定されない。例えば、図７に示されるように、各セルを仕切る罫線を点線で描画してもよいし、あるいは罫線そのものを表示しないようにするようにしてもよい。このようにすれば、より紙カルテに近づけることが可能となるからカルテイメージを損なうことがない。
【００４８】
また、上記実施形態の電子カルテ装置においては、表示形態として色を変更するように説明したが、本発明はこれに限定されない。例えば、異なる色、サイズ、又は、形状のうちの少なくとも一つであればよい。
【００４９】
本発明は、その精神または主要な特徴から逸脱することなく、他の様々な形で実施することができる。このため、上記の実施形態はあらゆる点で単なる例示にすぎない。これらの記載によって本発明が限定的に解釈されるものではない。
【図面の簡単な説明】
【００５０】
【図１】本発明の一実施形態である電子カルテ装置の概略構成を表す図である。
【図２】本発明の一実施形態である電子カルテ装置において表示されるカルテ画面の例である。
【図３】本発明の一実施形態である電子カルテ装置において表示されるカルテ画面の例である。
【図４】本発明の一実施形態である電子カルテ装置において表示されるカルテ画面の例である。
【図５】本発明の一実施形態である電子カルテ装置の動作を説明するためのフローチャートである。
【図６】本発明の一実施形態である電子カルテ装置の変形例を説明するための図である。
【図７】本発明の一実施形態である電子カルテ装置において表示されるカルテ画面の例である。
【符号の説明】
【００５１】
１      電子カルテ装置
１０    コンピュータ本体
２０    画像表示装置
２１    セル領域
３０    入力手段
４０    記憶手段
４１    テーブル
Ｋ      カーソル
【図１】
2007034852.tif 000003
【図２】
2007034852.tif 000004
【図３】
2007034852.tif 000005
【図４】
2007034852.tif 000006
【図５】
2007034852.tif 000007
【図６】
2007034852.tif 000008
【図７】
2007034852.tif 000009